【事件の表示】
　平成　８年特許願第　４２３１２号「インターリーブ方式のインクジェット記録装置」拒絶査定不服審判事件〔平成　８年１０月　８日出願公開、特開平　８−２５８２６７〕について、次のとおり審決する。
【結　論】
　本件審判の請求は、成り立たない。
【理　由】
第１　手続の経緯
　本願は、平成８年２月２９日（パリ条約による優先権主張１９９５年３月８日、米国）の特許出願であって、拒絶理由通知に応答して平成１６年７月７日付けで手続補正がされた後、再度の拒絶理由通知に応答して平成１７年４月１８日付けで手続補正がされたが、当該手続補正が平成１８年１月１３日付けで却下されるとともに同日付けで拒絶査定がされ、これを不服として平成１８年４月１７日付けで審判請求がされるとともに、平成１８年５月１７日付けで明細書についての手続補正がされたものである。
　当審においてこれを審理した結果、平成２０年５月１３日付けで最後の拒絶理由通知を発したところ、請求人は、平成２０年９月１８日付けで意見書及び明細書についての手続補正書を提出した。
　以下、平成２０年９月１８日付け明細書についての手続補正を「本件補正」という。
　
第２　本件補正の内容及び目的
１．本件補正の内容
　本件補正における特許請求の範囲についての補正は、
補正前（平成１８年５月１７日付け手続補正書参照）に
「【請求項１】
　画像データに基づいて記録媒体上に画像を形成するインクジェット記録装置において，
　画像データに基づいて発生され，１つの印刷パルスと，前記印刷パルスに先行する少なくとも２つの第１および第２の先駆パルスであって，前記第１の先駆パルスが前記第２の先駆パルスに先行する前記先駆パルスと，を各々に含む複数のパワーパルスを供給する電源と，
　１つの印刷パルスに呼応して各々が記録媒体上に選択的にインク液滴を噴射する複数のエミッタを有する記録ヘッドと，
　前記複数のエミッタを選択的に前記電源に接続して，前記複数のパワーパルスを前記エミッタに印加する制御装置と，
を備え，任意のエミッタ（ｉ）に対して印加されるべき前記第２の先駆パルスの印加タイミングと前記印刷パルスの印加タイミングとの間に，前記エミッタ（ｉ）に後続するエミッタ（ｉ＋１）に対して印加されるべき前記第２の先駆パルスの印加タイミングと，前記エミッタ（ｉ＋１）に後続するエミッタ（ｉ＋２）に対して印加されるべき前記第１の先駆パルスの印加タイミングとをインターリーブさせ，前記複数のエミッタに対してパルスが同時に印加されないことを特徴とするインクジェット記録装置。
【請求項２】
　前記エミッタが，複数のエミッタをそれぞれ含む複数のバンクにグループ分けされており，少なくとも第１のバンク内のエミッタに印加される複数のパワーパルスの各々の印加タイミングを，少なくとも第２のバンク内のエミッタに印加される複数のパワーパルスの各々の印加タイミングの間にインターリーブさせる請求項１の装置。
【請求項３】
　前記制御装置が，同時に２つ以上のバンクのエミッタにパワーパルスを印加しないようにする信号を出力するシフトレジスタを具備している請求項２の装置。
【請求項４】
　画像データに基づいて記録媒体上に画像を形成するインクジェット記録装置において，
　画像データに基づいて発生され，１つの印刷パルスと，前記印刷パルスに先行する少なくとも２つの第１および第２の先駆パルスであって，前記第１の先駆パルスが前記第２の先駆パルスに先行する前記先駆パルスと，を各々に含む複数のパワーパルスを供給する電源と，
　複数のエミッタをそれぞれ含む複数のバンクを有し，各エミッタが前記印刷パルスの１つによって選択的に作動されて前記記録媒体上に１つのインク液滴を噴射するインクジェット・プリントヘッドと，
　画像データを受け取り，ラッチし，そして出力するデータラッチ回路と，
　前記データラッチ回路に接続され，前記画像データを受け取り，そして前記画像データをエミッタのバンクに送るバンク・グループ分け回路と，
　前記複数のバンクから同時に１つのバンク（ｉ）のみを選択し，前記バンク（ｉ）内のエミッタに対してそれぞれ印加されるべき前記第２の先駆パルスの印加タイミングと前記印刷パルスの印加タイミングとの間に，前記バンク（ｉ）に後続するバンク（ｉ＋１）内のエミッタに対して印加されるべき前記第２の先駆パルスの印加タイミングと，前記バンク（ｉ＋１）に後続するバンク（ｉ＋２）内のエミッタに対して印加されるべき前記第１の先駆パルスの印加タイミングとをインターリーブさせるスケジューリング回路を具備し，
　前記複数のバンク内のエミッタに対してパルスが同時に印加されないことを特徴とするインクジェット記録装置。」
とあったものを、
「【請求項１】
　画像データに基づいて記録媒体上に画像を形成するインクジェット記録装置において，
　画像データに基づいて発生される印刷パルスと，前記印刷パルスが発生される場合に前記印刷パルスに対応して発生される先駆パルスであって，前記印刷パルスに先行する第２の先駆パルスおよび前記第２の先駆パルスに先行する第１の先駆パルスからなる前記先駆パルスと，を各々に含む複数のパワーパルスを供給する電源と，
　前記印刷パルスに呼応して各々が記録媒体上に選択的にインク液滴を噴射する複数のエミッタを有する記録ヘッドと，
　前記複数のエミッタを選択的に前記電源に接続して，前記複数のパワーパルスを前記エミッタに印加する制御装置と，
を備え，任意のエミッタ（ｉ）に対して印加されるべき前記第２の先駆パルスの印加タイミングと前記印刷パルスの印加タイミングとの間に，前記エミッタ（ｉ）に後続するエミッタ（ｉ＋１）に対して印加されるべき前記第２の先駆パルスの印加タイミングと，前記エミッタ（ｉ＋１）に後続するエミッタ（ｉ＋２）に対して印加されるべき前記第１の先駆パルスの印加タイミングとをインターリーブさせ，前記複数のエミッタに対してパルスが同時に印加されないことを特徴とするインクジェット記録装置。
【請求項２】
　前記エミッタが，複数のエミッタをそれぞれ含む複数のバンクにグループ分けされており，少なくとも第１のバンク内のエミッタに印加される複数のパワーパルスの印加タイミングを，少なくとも第２のバンク内のエミッタに印加される複数のパワーパルスの印加タイミングの間にインターリーブさせ，前記第１および第２のバンク内のエミッタに対してパルスが同時に印加されない請求項１の装置。
【請求項３】
　画像データに基づいて記録媒体上に画像を形成するインクジェット記録装置において，
　画像データに基づいて発生される印刷パルスと，前記印刷パルスが発生される場合に前記印刷パルスに対応して発生される先駆パルスであって，前記印刷パルスに先行する第２の先駆パルスおよび前記第２の先駆パルスに先行する第１の先駆パルスからなる前記先駆パルスと，を各々に含む複数のパワーパルスを供給する電源と，
　複数のエミッタをそれぞれ含む複数のバンクを有し，各エミッタが前記印刷パルスの１つによって選択的に作動されて前記記録媒体上に１つのインク液滴を噴射するインクジェット・プリントヘッドと，
　画像データを受け取り，ラッチし，そして出力するデータラッチ回路と，
　前記データラッチ回路に接続され，前記画像データを受け取り，そして前記画像データをエミッタのバンクに送るバンク・グループ分け回路と，
　前記複数のバンクから同時に１つのバンク（ｉ）のみを選択し，前記バンク（ｉ）内のエミッタに対してそれぞれ印加されるべき前記第２の先駆パルスの印加タイミングと前記印刷パルスの印加タイミングとの間に，前記バンク（ｉ）に後続するバンク（ｉ＋１）内のエミッタに対して印加されるべき前記第２の先駆パルスの印加タイミングと，前記バンク（ｉ＋１）に後続するバンク（ｉ＋２）内のエミッタに対して印加されるべき前記第１の先駆パルスの印加タイミングとをインターリーブさせるスケジューリング回路を具備し，
　前記複数のバンク内のエミッタに対してパルスが同時に印加されないことを特徴とするインクジェット記録装置。」
と補正するものである。
　
　つまり、本件補正は、特許請求の範囲についての以下の補正事項を含む。
〈補正１〉
　補正前の請求項３を削除するとともに、補正前の請求項４を補正後において請求項３に繰り上げる補正。
〈補正２〉
　補正前の請求項１及び請求項４における「画像データに基づいて発生され，１つの印刷パルスと，前記印刷パルスに先行する少なくとも２つの第１および第２の先駆パルスであって，前記第１の先駆パルスが前記第２の先駆パルスに先行する前記先駆パルスと，を各々に含む複数のパワーパルスを供給する電源」を、補正後の請求項１及び請求項３において「画像データに基づいて発生される印刷パルスと，前記印刷パルスが発生される場合に前記印刷パルスに対応して発生される先駆パルスであって，前記印刷パルスに先行する第２の先駆パルスおよび前記第２の先駆パルスに先行する第１の先駆パルスからなる前記先駆パルスと，を各々に含む複数のパワーパルスを供給する電源」とする補正。
〈補正３〉
　補正後の請求項２において、補正前の請求項２における「各々の」を削除するとともに、「前記第１および第２のバンク内のエミッタに対して同時に印加されない」を追加する補正。
　
２．本件補正の目的
〈補正１〉について
　補正１は、補正前の請求項３を削除するとともに、それに伴って他の請求項を形式的に補正するものであるから、平成１４年法律第２４号改正附則第３条第１項によりなお従前の例によるとされる同法による改正前（以下、「改正前」という。）の特許法第１７条の２第４項第１号に掲げる請求項の削除を目的としたものと認める。
　
〈補正２〉について
　補正２は、当審が発した平成２０年５月１３日付け拒絶理由通知における「（１）【請求項１】及び【請求項４】には「少なくとも２つの第１および第２の先駆パルス」と記載されているが、「少なくとも２つの」「先駆パルス」との記載は「先駆パルス」が３つ以上の場合を含んでおり、その場合に「第１および第２の先駆パルス」がどのように定義されるのかが不明確である。」との指摘に対応して、請求項の記載を明確にしようとするものであるから、改正前の特許法第１７条の２第４項第４号に掲げる明りょうでない記載の釈明（拒絶理由通知に係る拒絶の理由に示す事項についてするものに限る。）を目的としたものと認める。
　なお、請求人は平成２０年９月１８日付け意見書中で、上記補正２に関して「特許請求の範囲の減縮に相当する」と主張しているが、当審では上記のとおり、明りょうでない記載の釈明として扱うこととする。
　
〈補正３〉について
　補正３は、当審が発した平成２０年５月１３日付け拒絶理由通知における「（２）【請求項２】には「前記エミッタが，複数のエミッタをそれぞれ含む複数のバンクにグループ分けされており，少なくとも第１のバンク内のエミッタに印加される複数のパワーパルスの各々の印加タイミングを，少なくとも第２のバンク内のエミッタに印加される複数のパワーパルスの各々の印加タイミングの間にインターリーブさせる請求項１の装置。」と記載されているが、かかる記載では「複数のエミッタをそれぞれ含む」バンクごとに印加タイミングが制御されるものと解されるので、【請求項１】における「複数のエミッタに対してパルスが同時に印加されない」との記載と整合しておらず、不明確となっている。
　また、【請求項２】における「少なくとも第１のバンク内のエミッタに印加される複数のパワーパルスの各々の印加タイミングを，少なくとも第２のバンク内のエミッタに印加される複数のパワーパルスの各々の印加タイミングの間にインターリーブさせる」との記載と、【請求項１】における「任意のエミッタ（ｉ）に対して印加されるべき前記第２の先駆パルスの印加タイミングと前記印刷パルスの印加タイミングとの間に，前記エミッタ（ｉ）に後続するエミッタ（ｉ＋１）に対して印加されるべき前記第２の先駆パルスの印加タイミングと，前記エミッタ（ｉ＋１）に後続するエミッタ（ｉ＋２）に対して印加されるべき前記第１の先駆パルスの印加タイミングとをインターリーブさせ」との記載とが、どのような関係となるのか不明確である。」との指摘に対応して、請求項の記載を明確にしようとするものであるから、改正前の特許法第１７条の２第４項第４号に掲げる明りょうでない記載の釈明（拒絶理由通知に係る拒絶の理由に示す事項についてするものに限る。）を目的としたものと認める。
　
　以上のとおり、上記補正１乃至補正３を含む本件補正は、改正前の特許法第１７条の２第４項に規定する要件を満たす適法な補正と認めることができるので、以下、本件補正により補正された明細書を本願明細書として審理の対象とする。
　
第３　本願発明について
１．本願発明の認定
　本願の請求項１に係る発明（以下、「本願発明」という。）は、本件補正により補正された特許請求の範囲【請求項１】に記載された事項により特定される次のとおりのものと認める。
「画像データに基づいて記録媒体上に画像を形成するインクジェット記録装置において，
　画像データに基づいて発生される印刷パルスと，前記印刷パルスが発生される場合に前記印刷パルスに対応して発生される先駆パルスであって，前記印刷パルスに先行する第２の先駆パルスおよび前記第２の先駆パルスに先行する第１の先駆パルスからなる前記先駆パルスと，を各々に含む複数のパワーパルスを供給する電源と，
　前記印刷パルスに呼応して各々が記録媒体上に選択的にインク液滴を噴射する複数のエミッタを有する記録ヘッドと，
　前記複数のエミッタを選択的に前記電源に接続して，前記複数のパワーパルスを前記エミッタに印加する制御装置と，
を備え，任意のエミッタ（ｉ）に対して印加されるべき前記第２の先駆パルスの印加タイミングと前記印刷パルスの印加タイミングとの間に，前記エミッタ（ｉ）に後続するエミッタ（ｉ＋１）に対して印加されるべき前記第２の先駆パルスの印加タイミングと，前記エミッタ（ｉ＋１）に後続するエミッタ（ｉ＋２）に対して印加されるべき前記第１の先駆パルスの印加タイミングとをインターリーブさせ，前記複数のエミッタに対してパルスが同時に印加されないことを特徴とするインクジェット記録装置。」
　
２．引用例
　本願の出願前に頒布された刊行物であって、当審の拒絶の理由に引用された欧州特許出願公開第６３０７５１号明細書（以下、「引用例」という。）には、以下の〈ア〉〜〈ケ〉の記載がある。ただし、各記載事項の翻訳文については、引用例に係る欧州特許出願の優先権主張の基礎となる日本国特許出願の公開公報である特開平７−９６６０８号公報（以下、「公開公報」という。）の記載を採用する。
〈ア〉「In a recording apparatus such as a printer, copying machine, facsimile machine or the like, an image constituted by dot pattern is recorded on a recording material such as a paper or a thin sheet of plastic material in accordance with image information. The recording apparatus is classified depending on the recording system into an ink jet type, a wire dot type, a thermal type, a laser beam type and the like. Among them, the ink jet type (ink jet recording apparatus) is such that ink (recording liquid) droplets are ejected through ejection outlets of a recording head, to effect the recording by deposition of the ink on the recording material.」（第３頁第５行〜第１０行参照）
「【０００２】
【従来の技術】プリンタ、複写機、ファクシミリ等の記録装置は、画像情報に基づいて、紙やプラスチック薄板等の被記録材上にドットパターンからなる画像を記録していくように構成されている。
【０００３】前記記録装置は、記録方式により、インクジェット式、ワイヤドット式、サーマル式、レーザービーム式等に分けることができ、そのうちのインクジェット式（インクジェット記録装置）は、記録ヘッドの吐出口からインク（記録液）滴を吐出飛翔させ、これを被記録材に付着させて記録するように構成されている。」（公開公報【０００２】〜【０００３】参照）
〈イ〉「However, the conventional offset drive involves the following problems.
1. If the nozzle number N (block number (I) x segment number (J)) is increased, the number of nozzles J simultaneously driven is increased with the result of the voltage drop Vdrop or the influence of hydraulic cross-talk, are increased, that a block open period Tb (open time period per 1 block) is reduced due to the increase of the number of groups (block number I). If the offset drive is simply carried out, the block open period becomes one half with the result of difficulty in assuring the control width of the ejection quantity.
2. By increasing further the drive frequency, the block open period monotonely decreases.
Therefore, if the above 1 and 2 are combined, the block open period extremely decreases with the result of difficulty in assuring the optimum control time period for the purpose of measurement against the hydraulic stroke. In addition, by the increase of the energy per unit type, the flexibility for the ejection amount control for absorbing temperature rise of the head by accumulation of generated heat, is not maintained. More particularly, since the open period of the multiple pulse for each group of ejections becomes shorter, and therefore, the ejection amount variation (ejection amount control range) by the multiple pulse control is not assured.」（第３頁第５８行〜第４頁第１３行参照）
「【００１４】
【発明が解決しようとする課題】しかし、前記従来のずらし駆動方式にあっては、
１．ノズル数：Ｎ（ブロック数：ｉ×セグメント数：ｊ）が増加すると、同時に駆動するノズル数：ｊを増すことになり、電圧降下：Ｖdropや流体クロストークの影響を強めたり、一方では分割数（ブロック数：ｉ）の増加にともなうブロック開放時間：Ｔｂ（１ブロックあたりの開放時間幅）の低下などが発生する。このため、ずらし駆動を単純に行おうとするとブロック開放時間も半分になり吐出量の制御幅の確保が難しくなる。
【００１５】２．更なる高駆動周波数化によってブロック開放時間は単調に減少する。
【００１６】従って、１．２．を合わせて行おうとするとブロック開放時間幅が極端に低下し、流体クロストーク対策としての最適な制御時間幅の確保が難しくなる。また、単位時間あたり投入エネルギーが増大することで発生する蓄熱によるヘッドの自己昇温を吸収するだけの吐出量制御性が保てなくなる。即ち、各吐出群毎の複数パルスの開放時間が短くなるため、複数パルス制御による吐出量変動幅（吐出量制御範囲）を確保できなくなる。」（公開公報【００１４】〜【００１６】参照）
〈ウ〉「Accordingly, it is a principal object of the present invention to provide an ink jet recording method and apparatus in which ejection amount control by the multiple pulse is assured to accomplish high speed and high quality image recording.
It is another object of the present invention to provide an ink jet recording method and apparatus in which multi-nozzle structure and high frequency drive are simultaneously accomplished.
It is further object of the present invention to provide an ink jet recording method and apparatus capable of efficiently using electric power source.」（第４頁第１７行〜第２３行参照）
「【００１７】本発明の目的は、前記従来の課題を解決し、複数パルスによる吐出量制御を確実に行って高速且つ高品位の画像記録を可能としたインクジェット記録方法及び記録装置を提供せんとするものである。
【００１８】また、本発明の他の目的は、多ノズル化と高周波駆動化の両者を同時に実現することのできるインクジェット記録方法及び記録装置を提供することにある。
【００１９】本発明のさらに他の目的は、電源の効率的な利用を行なえるインクジェット記録方法及び記録装置を提供することにある。」（公開公報【００１７】〜【００１９】参照）
〈エ〉「Referring to a block diagram of Figure 3, the description will be made as to a control system for carrying out a recording control operation for various part of the apparatus.
Upon supply of a print signal to an interface 100, the signal is converted to a signal for the printing between a gate array 104 and MPU 101, and a motor driver 106 or motor driver 107 are driven, so that the recording head is driven in accordance with the signal transmitted to the head driver 105.
Figure 4 is a block diagram of an example of a head driver in the gate array 104. One head has 128 nozzles and ejection heaters corresponding thereto. The ejection heaters are designated by seg 1 ? seg 128.」（第６頁第４９行〜第５５行）
「【００３１】……
次に、上述した装置構成の各部の記録制御を実行するための制御構成について、図３に示すブロック図を参照して説明する。
【００３２】同図に於いて１００のインターフェースに印字信号が入ると１０４のゲートアレイと１０１のＭＰＵとの間で信号がプリント用の信号に変換され、さらに１０６のモータドライバーや１０７のモータドライバーが駆動され１０５のヘッドドライバーに送られた信号どおりに記録ヘッドが駆動され印字が行われる。
【００３３】図４は、ゲートアレイ１０４内のヘッド駆動部の一例を示すブロック図である。１つのヘッドには１２８のノズルとそれらに対応した吐出ヒーターがある。吐出ヒーターはｓｅｇ１〜ｓｅｇ１２８で示される。……」（公開公報【００３１】〜【００３３】参照）
〈オ〉「For the ejection amount control, the head driving waveform is particularly. The head drive uses divided pulses. As a typical pulse waveform, there is a double pulse waveform as shown I Figure 7, wherein Vop is a drive voltage, P1 is a preheat pulse width, P2 is an interval timing (off-time), and P3 is a main heat pulse width. Designated by T1, T2 and T3 are time period for determining pulse width P1, P2 and P3. Designated by Vop are electric energy required for generating thermal energy on the heater board HB, and is determined on the basis of an area, resistance, film structure of the heater board and/or the nozzle structure of the recording head.
In the divided pulse width modulation driving method used in this embodiment, the pulses are supplied in the order of P1, P2 and P3, wherein the pulse width P1 determines the pulse width before and during printing by head base temperature T1 (K, C, M, Y) which is represented by an output from diode temperature sensor 150, so as to effect a PWM (pulse width modulation) control. The pulse width mainly controls the ink temperature distribution in the nozzle by the pre-heat pulse and is used for directly changing an ejection amount, so that the pulse width P1 is controlled in accordance with the head temperature. The control is such that pre-bubble-formation does not occur by too much heat applied to heater board. Pulse width P2 corresponds to an interval time period and functions to provide a predetermined interval so as to prevent interference between the pre-heat pulse P1 and the main heat pulse P2 and also functions to control temperature distribution of the ink nozzle. The ejection amount can be controlled by the heat interval. The pulse width P3 of the main heat pulse is effective to create a bubble on the heater board to eject the ink droplet through an orifice. The pulse widths are determined on the basis of the area, the resistance, the film structure of the heater board and/or the nozzle structure or ink nature of the recording head.」（第７頁第４６行〜第８頁第８行）
「【００４７】……吐出量制御を行うにはヘッドの駆動波形に特徴を持たせることが必要で、ヘッド駆動は分割パルス（複数パルス）駆動法を用いている。代表的なパルス波形として、図７に示すようにダブルパルス波形を用いており、Ｖｏｐは駆動電圧、Ｐ1 はプレヒートパルス幅、Ｐ2 はインターバルタイム（オフタイム）、Ｐ3 はメインヒートパルス幅を示している。Ｔ1 ・Ｔ2 ・Ｔ3 はＰ1 ・Ｐ2 ・Ｐ3 を決めるための時間を示している。ＶOPはヒーターボードＨ・Ｂ上に熱エネルギーを発生させるために必要な電気的エネルギーであり、Ｈ・Ｂの面積・抵抗値・膜構造やヘッドのノズル構造によって決まる。
【００４８】本実施例で用いた分割パルス幅変調駆動法は、Ｐ1 ・Ｐ2 ・Ｐ3 の順にパルスを与え、Ｐ1 はダイオード温度センサー１５０からの出力値であるヘッドベース温度；ＴH （Ｋ・Ｃ・Ｍ・Ｙ）で印字開始前・印字中のパルス幅を決定し、ＰＷＭ制御を行っている。各パルスの役割は、Ｐ1 はプレヒートパルスで主にノズル内のインク温度分布を制御するためのパルス幅であり、吐出量を直接変えるのに使用し、ヘッドの温度に応じてＰ1 のパルス幅を制御する。この時Ｈ・Ｂ上に熱エネルギーを加えすぎてプレ発泡現象が発生しないようにしている。Ｐ2 はインターバルタイムで、プレヒートパルスＰ1 とメインヒートパルスＰ2 が相互干渉しないように一定時間の間隔を設けるためと、ノズル内インクの温度分布を制御する働きがある。なお、このインターバルによっても吐出量を制御可能である。Ｐ3 はメインヒートパルスでＨ・Ｂ上に発泡現象を発生させノズル穴よりインク滴を吐出させる。これらのパルス幅は，Ｈ・Ｂの面積・抵抗値・膜構造やヘッドのノズル構造・インク物性によって決まる。」（公開公報【００４７】〜【００４８】）
〈カ〉「In this embodiment, as shown in Figures 17 and 18, after the first pulse waveform of plural pulses for the first block is completed, there is an interval time period prior to the second pulse waveform is supplied. During the interval period, the first pulse waveform for the second block is applied, and then, the second pulse waveform for the first block is supplied, and at the last stage, the second pulse waveform is supplied for the second block. Thus, the interlacing is effected so that the plural pulses are not overlapped, and the total pulse width Pop = P1+P2+P3 is assured, and the offset time (T delay) is assured.」（第９頁第３５行〜第４０行参照）
「【００６６】一方、本実施例では、図１７、１８に示したように第１ブロックの複数パルスの第１のパルス波形が終了して、第２のパルス波形が出力される前段階のインターバル時間中に第２のブロック第１のパルス波形を出力して、次に第１ブロックの第２のパルス波形を出力し、最後に第２ブロックの第２のパルス波形を出力する。それぞれの複数パルスが重ならないよう入れ子状態にして、トータルパルス幅：Ｐop＝Ｐ１＋Ｐ２＋Ｐ３の確保と、ずらし時間：Ｔdelay の確保を実現したものである。」（公開公報【００６６】）
〈キ〉「First, odd number segments 1, 3, 5, 7, 9, 11, 13 and 15 of the first block are simultaneously driven by double pulse.
Subsequently, 8 even number segments 2, 4, 6, 8, 10, 12, 14 and 16 of the first block are simultaneously driven in the manner that the pulse P11Beven of the double pulse drive for the even number nozzles of the first block is interposed between the pulse P11Bodd of the double pulse drive for the odd number nozzles in the first block and P31Bodd. At this time, the pulse P11Beven is delayed by approx. 8 μsec from P11Bodd.
Subsequently, 8 odd number segments 9, 11, 13, 15, 17, 19, 21 an 23 of the second block are simultaneously driven in the manner that the pulse P12Bodd of the double pulse drive for the odd number nozzles in the second block is interposed between the pulse P11Beven and the P31Beven. At this time, there exists a delay of approx. 8 μsec between the pulse P11Beven and P12Bodd.
Subsequently, similarly, 8 even number segments 18, 20, 22, 24, 26, 28, 30 and 32 of the second block are simultaneously driven.
In the similar manner, the even number nozzles to 8 block are subjected to the interlace drive, by which approx. 15 μsec of the pulse open period (T block = P1+P2+P3) for each column is assured, and in addition, approx. 6.6 KHz drive is possible even if 128 nozzles are divided into 8 blocks, and they are subjected to the even-odd offset drive with offset time approx. 8 μsec.」（第９頁第４５行〜第１０頁第２行）
「【００６９】まず、第１Ｂｌｏｃｋの１、３、５、７、９、１１、１３、１５、の奇数ｓｅｇを８個同時にダブルパルス駆動する。
【００７０】次に、第１Ｂｌｏｃｋの２、４、６、８、１０、１２、１４、１６の偶数ｓｅｇを８個同時に、第１ブロックの奇数時のダブルパルス駆動のＰ１1BｏｄｄとＰ３1Bｏｄｄの間に第１ブロックの偶数時のダブルパルス駆動のＰ１1Bｅｖｅｎが入り込む形で駆動する。このとき、Ｐ１1BｅｖｅｎはＰ１1Bｏｄｄとは約８（μｓ）のｄｅｌａｙが発生する。
【００７１】次に、第２Ｂｌｏｃｋの９、１１、１３、１５、１７、１９、２１、２３の奇数ｓｅｇを８個同時に、第１ブロックの偶数時のダブルパルス駆動のＰ１1BｅｖｅｎとＰ３1Bｅｖｅｎの間に第２ブロックの奇数時のダブルパルス駆動のＰ１2Bｏｄｄが入り込む形で駆動する。このとき、Ｐ１1BｅｖｅｎはＰ１2Bｏｄｄとは約８（μｓ）のｄｅｌａｙが発生する。
【００７２】次に、同様にして第２Ｂｌｏｃｋの１８、２０、２２、２４、２６、２８、３０、３２の偶数ｓｅｇを８個同時に駆動する。
【００７３】以下同様にして、第８ブロックの偶数ノズルまでをインターレース駆動することで１カラム毎のパルス開放時間（Ｔblock ＝Ｐ１＋Ｐ２＋Ｐ３）を約１５（μｓ）確保できる上、１２８ノズルを８ブロック偶奇ずらし駆動（ずらし時間：約８（μｓ））を行っても、約６．６（ＫＨｚ）駆動を達成できる。」（公開公報【００６９】〜【００７３】）
〈ク〉「5. An inkjet recording method, comprising:
grouping a plurality of nozzles into a plurality (i) of blocks of nozzles;
supplying driving signals in a time-shared manner to the nozzles in the nozzle blocks, wherein the driving signal comprises a first signal period P1 and a second signal period P3 with a reset period P2 there-between, for driving each of the nozzle blocks;
wherein the first signal period P1 of the second blocks of nozzles is in the rest period P2 of the first block after the first signal period P1 of the first block, and wherein the second signal period P3 of the first block is in the rest period P2 of the second block, and wherein the first signal period P1 of the third block is in the rest period P2 of the second nozzle, and wherein the second signal period P3 of the second block is in the rest period P2 of the third block, and these operations are repeated up to i-th block.」（第１６頁　Claim 5）
「【請求項６】記録ヘッドの複数のノズルを複数のノズル群ｉに分割して、ノズル群の各々に時分割して駆動信号を供給するインクジェット記録方法において、
　前記駆動信号がノズル群の各々を駆動するための第１の信号期間Ｐ１と休止期間Ｐ２と第２の信号期間Ｐ３を有し、
　第１のノズル群の第１の信号期間Ｐ１の後で第２のノズル群の第１の信号期間Ｐ１が第１のノズル群の休止期間Ｐ２中に位置するよう前記駆動信号を供給し、
　次に第２のノズル群の休止期間Ｐ２中に第１のノズル群の第２の信号期間Ｐ３が位置するよう前記駆動信号を供給し、
　次に第３のノズル群の第１の信号期間Ｐ１が第２のノズル群の休止期間Ｐ２中に位置するよう、次に第３のノズル群の休止期間Ｐ２中に第２のノズル群の第２の信号期間Ｐ３が位置するよう前記駆動信号を供給し、
　同様にして第ｉのノズル群の第２の信号期間Ｐ３まで前記駆動信号を供給することを特徴としたインクジェット記録方法。」（公開公報【請求項６】参照）
〈ケ〉FIG.18（第３５頁参照）において、第１ブロック1Bの奇数ノズルに対して印加されるべきプレヒートパルスＰ1の印加タイミングとメインヒートパルスＰ3の印加タイミングとの間に、第１ブロック1Bの奇数ノズルに後続する第１ブロック1Bの偶数ノズルに印加されるべきプレヒートパルスＰ1の印加タイミングをインターリーブさせるとともに、第１ブロック1Bの偶数ノズルに対して印加されるべきプレヒートパルスＰ1の印加タイミングとメインヒートパルスＰ3の印加タイミングとの間に、第１ブロック1Bの偶数ノズルに先行する第１ブロック1Bの奇数ノズルに対して印加されるべきメインヒートパルスＰ3の印加タイミングと、第１ブロック1Bの偶数ノズルに後続する第２ブロック2Bの奇数ノズルに対して印加されるべきプレヒートパルスＰ1の印加タイミングとをインターリーブさせ、以下第８ブロック8Bの偶数ノズルに至るまで同様の制御を繰り返すことが看取できる（公開公報【図１８】参照）。
　
　上記〈ア〉に「プリンタ、複写機、ファクシミリ等の記録装置は、画像情報に基づいて、紙やプラスチック薄板等の被記録材上にドットパターンからなる画像を記録していくように構成されている。……そのうちのインクジェット式（インクジェット記録装置）は、記録ヘッドの吐出口からインク（記録液）滴を吐出飛翔させ、これを被記録材に付着させて記録するように構成されている。」と記載されていることから、インクジェット記録装置は画像情報に基づいて被記録材上に画像を形成するものと解される。
　上記〈オ〉に「Ｐ3 はメインヒートパルスで……ノズル穴よりインク滴を吐出させる。」と記載されていることから、メインヒートパルスＰ3は印刷のためのパルスであり、したがって画像情報に基づいて発生されるものと解される。また、ノズルはメインヒートパルスＰ3に呼応して被記録材上に選択的にインク滴を噴射するものと解される。
　上記〈オ〉に「吐出量制御を行うにはヘッドの駆動波形に特徴を持たせることが必要で、ヘッド駆動は分割パルス（複数パルス）駆動法を用いている。代表的なパルス波形として、図７に示すようにダブルパルス波形を用いており、Ｖｏｐは駆動電圧、Ｐ1 はプレヒートパルス幅、Ｐ2 はインターバルタイム（オフタイム）、Ｐ3 はメインヒートパルス幅を示している。……Ｐ1 はプレヒートパルスで主にノズル内のインク温度分布を制御するためのパルス幅であり」と記載されていることから、プレヒートパルスＰ1及びメインヒートパルスＰ3を含むダブルパルス波形は、電源から供給されるものと解される。
　上記〈エ〉に「上述した装置構成の各部の記録制御を実行するための制御構成について、図３に示すブロック図を参照して説明する。……ヘッドドライバーに送られた信号どおりに記録ヘッドが駆動され印字が行われる。……図４は、ゲートアレイ１０４内のヘッド駆動部の一例を示すブロック図である。１つのヘッドには１２８のノズルとそれらに対応した吐出ヒーターがある。吐出ヒーターはｓｅｇ１〜ｓｅｇ１２８で示される。」と記載され、また上記〈オ〉に「吐出量制御を行うにはヘッドの駆動波形に特徴を持たせることが必要で、ヘッド駆動は分割パルス（複数パルス）駆動法を用いている。」と記載されていることから、ヘッドは複数のノズルを有するものであり、また複数のノズルを選択的に電源に接続してダブルパルス波形をノズルに印加する制御構成が設けられているものと解される。
　上記〈カ〉に「それぞれの複数パルスが重ならないよう入れ子状態にして、トータルパルス幅：Ｐop＝Ｐ１＋Ｐ２＋Ｐ３の確保と、ずらし時間：Ｔdelay の確保を実現したものである。」と記載され、また上記〈キ〉に「【００６９】まず、第１Ｂｌｏｃｋの１、３、５、７、９、１１、１３、１５、の奇数ｓｅｇを８個同時にダブルパルス駆動する。……次に、第１Ｂｌｏｃｋの２、４、６、８、１０、１２、１４、１６の偶数ｓｅｇを８個同時に、第１ブロックの奇数時のダブルパルス駆動のＰ１1BｏｄｄとＰ３1Bｏｄｄの間に第１ブロックの偶数時のダブルパルス駆動のＰ１1Bｅｖｅｎが入り込む形で駆動する。……以下同様にして、第８ブロックの偶数ノズルまでをインターレース駆動することで１カラム毎のパルス開放時間（Ｔblock ＝Ｐ１＋Ｐ２＋Ｐ３）を約１５（μｓ）確保できる上、１２８ノズルを８ブロック偶奇ずらし駆動（ずらし時間：約８（μｓ））を行っても、約６．６（ＫＨｚ）駆動を達成できる。」と記載されていることから、各ブロックの奇数ノズルに対して印加されるべきプレヒートパルスＰ1の印加タイミングとメインヒートパルスＰ3の印加タイミングとの間に、各ブロックの奇数ノズルに後続する各ブロックの偶数ノズルに対して印加されるべきプレヒートパルスＰ1の印加タイミングが入り込む形で駆動され、各ブロックの奇数ノズルと偶数ノズルに対してパルスが同時に印加されないよう構成されているものと解される。
　上記〈カ〉、〈キ〉、〈ク〉、及び〈ケ〉の記載等から、各ブロックの奇数ノズルまたは偶数ノズルをそれぞれ「ノズル群」と称した場合、任意のノズル群（ｉ＋１）に対して印加されるべきプレヒートパルスＰ1の印加タイミングとメインヒートパルスＰ3の印加タイミングとの間に、ノズル群（ｉ＋１）に先行するノズル群（ｉ）に対して印加されるべきメインヒートパルスＰ3の印加タイミングと、ノズル群（ｉ＋１）に後続するノズル群（ｉ＋２）に対して印加されるべきプレヒートパルスＰ1の印加タイミングとをインターリーブさせ、複数のノズル群に対してパルスが同時に印加されないよう制御されるものと解される。
　
　以上のことから、上記〈ア〉〜〈ケ〉の記載を含む引用例には、次の発明が記載されていると認めることができる。
「画像情報に基づいて被記録材上に画像を形成するインクジェット記録装置において、
　画像情報に基づいて発生されるメインヒートパルスＰ3と、プレヒートパルスＰ1と、を各々に含むダブルパルス波形を供給する電源と、
　メインヒートパルスＰ3に呼応して各々が被記録材上に選択的にインク滴を噴射する複数のノズルを有するヘッドと、
　複数のノズルを選択的に電源に接続して、ダブルパルス波形をノズルに印加する制御構成と、
を備え、任意のノズル群（ｉ＋１）に対して印加されるべきプレヒートパルスＰ1の印加タイミングとメインヒートパルスＰ3の印加タイミングとの間に、ノズル群（ｉ＋１）に先行するノズル群（ｉ）に対して印加されるべきメインヒートパルスＰ3の印加タイミングと、ノズル群（ｉ＋１）に後続するノズル群（ｉ＋２）に対して印加されるべきプレヒートパルスＰ1の印加タイミングとをインターリーブさせ、複数のノズル群に対してパルスが同時に印加されないインクジェット記録装置。」
　
３．対比
ａ．引用発明の「画像情報」、「被記録材」、「インク滴」、「ノズル」、「ヘッド」、及び「制御構成」は、それぞれ本願発明の「画像データ」、「記録媒体」、「インク液滴」、「エミッタ」、「記録ヘッド」、及び「制御装置」に相当する。
ｂ．引用発明の「メインヒートパルスＰ3」及び「プレヒートパルスＰ1」は、それぞれ本願発明の「印刷パルス」及び「先駆パルス」に相当する。そして、引用発明の「ダブルパルス波形」と本願発明の「複数のパワーパルス」は、印刷パルス（「メインヒートパルスＰ3」）及び先駆パルス（「プレヒートパルスＰ1」）からなる複数のパワーパルスである点で共通する。
　
　してみれば、本願発明と引用発明とは、
「画像データに基づいて記録媒体上に画像を形成するインクジェット記録装置において、
　画像データに基づいて発生される印刷パルスと、先駆パルスと、を各々に含む複数のパワーパルスを供給する電源と、
　印刷パルスに呼応して各々が記録媒体上に選択的にインク液滴を噴射する複数のエミッタを有する記録ヘッドと、
　複数のエミッタを選択的に電源に接続して，複数のパワーパルスをエミッタに印加する制御装置と、
を備え、インクジェット記録装置。」
である点で一致し、以下の点で相違する。
　
〈相違点１〉
　本願発明では先駆パルスが「印刷パルスが発生される場合に前記印刷パルスに対応して発生される」と特定されているのに対し、引用発明がそのような特定を備えるか定かでない点。
〈相違点２〉
　本願発明では先駆パルスが「前記印刷パルスに先行する第２の先駆パルスおよび前記第２の先駆パルスに先行する第１の先駆パルスからなる」と特定されているのに対し、引用発明ではそのような特定がなされていない点。
〈相違点３〉
　本願発明では「任意のエミッタ（ｉ）に対して印加されるべき前記第２の先駆パルスの印加タイミングと前記印刷パルスの印加タイミングとの間に，前記エミッタ（ｉ）に後続するエミッタ（ｉ＋１）に対して印加されるべき前記第２の先駆パルスの印加タイミングと，前記エミッタ（ｉ＋１）に後続するエミッタ（ｉ＋２）に対して印加されるべき前記第１の先駆パルスの印加タイミングとをインターリーブさせ，前記複数のエミッタに対してパルスが同時に印加されない」と特定されているのに対し、引用発明ではそのような特定がなされていない点。
　
４．判断
〈相違点１〉について
　上記〈オ〉に記載のように、引用例においては「ダブルパルス波形」によってヘッドが駆動されるものであることから、引用発明に置いても印刷パルス（「メインヒートパルスＰ3」）が印加されるエミッタ（「ノズル」）に対してのみ先駆パルス（「プレヒートパルスＰ1」）が印加される、すなわち印刷パルスが発生される場合に印刷パルスに対応して先駆パルスが発生されると解し得る。
　仮に、引用発明においてそのような態様が採用されていないとしても、印刷パルスが印加されないエミッタに対して先駆パルスのみを印加することは無用なエネルギーの消費に他ならないのであるから、上記〈ウ〉に「本発明のさらに他の目的は、電源の効率的な利用を行なえるインクジェット記録方法及び記録装置を提供することにある。」と記載された課題を考慮して、印刷パルスが発生される場合に印刷パルスに対応して先駆パルスを発生させるよう構成することは、当業者が容易に想到し得る程度の事項である。
　このように、上記相違点１に係る本願発明の発明特定事項は、引用発明及び引用例の記載事項に基づいて当業者が容易に想到し得る程度の事項である。
　
〈相違点２〉について
　本願の出願前に頒布された刊行物である特開平５−１９３１３２号公報には、
「【請求項１】　記録媒体を加熱して前記記録媒体内に泡を発生させる工程と、前記泡により前記記録媒体を吐出口から吐出させる工程とを有し、前記泡を発生させる前記加熱の前に、予備加熱を行うと共に、発生した前記泡が外気を連通することを特徴とする噴射記録方法。
……
【請求項４】　前記予備加熱を、複数のパルスにより行う請求項１記載の噴射記録方法。」（【特許請求の範囲】；【請求項１】及び【請求項４】参照）と、また、
「【００７１】即ち、図１１（ａ）〜（ｃ）にそれぞれ示すように、同一の体積のインク滴を吐出するのに、図１１（ａ）に示す例の場合、従来の単一パルスでは、パルス幅が３．０μｓｅｃであるのに対し、本発明の場合、その総パルス印加時間は２．４μｓｅｃ（０．３×３＋１．５）となる（電圧は双方とも等しい）。
【００７２】図１１（ｂ）に示す本発明の場合、図１１（ａ）に比べて予備加熱のパルス幅を増加し、その分、パルスとパルスの間隔を長くすると共に、パルス数を減じて、発泡加熱のパルス幅を長くしたパルスシリーズを示している。この場合も従来の単一パルスでは、パルス幅が３μｓｅｃであるのに対して、本発明では（１．７＋０．５×２）＝２．７μｓｅｃとなっている。
【００７３】図１１（ｃ）でも、従来の単一パルスではパルス幅が７μｓｅｃであるのに対して、本発明では（４．０＋０．４×５）＝６．０μｓｅｃと短くなっている。」（【００７１】〜【００７３】参照）とそれぞれ記載され、【図１１】において予備加熱パルスを複数（２個の場合を含む）とする点が看取でき、
同じく本願の出願前に頒布された刊行物である特開平５−１６９６６４号公報には、
「【請求項１】　駆動パルスに応じた熱エネルギーをインクに供給して膜沸騰による気泡を形成し、該気泡の形成に基づいてインクを記録ヘッドから記録媒体上に吐出して記録を行うインクジェット記録方法において、
　インク滴の１吐出あたり、インクを吐出に至らしめないプリ駆動パルスと、インクを吐出に至らしめるメイン駆動パルスとを休止期間を介して前記記録ヘッドに供給する際、
　前記休止期間を短くするとともに、前記メイン駆動パルスの供給タイミングを早くして、大体積のインク滴を早いタイミングで吐出し、
　前記休止期間を長くするとともに、前記メイン駆動パルスの供給タイミングを遅くして、小体積のインク滴を遅いタイミングで吐出することを特徴とするインクジェット記録方法。」（【特許請求の範囲】；【請求項１】参照）と、また、
「【００２８】図５のように、プレパルスの個数は１個でなく、２個以上でもよい。例えば環境温度に応じて、環境温度が高いときは、プレパルスの個数は１個で、中くらいのときは２個で、低い時は３個のように、プレパルスの個数は２個以上でもよい。この場合、例えば最後のプレパルスとメインパルスの間隔を休止期間Ｔ２と考える。」（【００２８】参照）と記載され、【図５】においてプレパルスを複数個とする点が看取できる。
　これらの記載等から、インクジェット記録方法において印刷パルスに先行する先駆パルス（「予備加熱パルス」、「プレパルス」）を複数個とすることは本願出願前に周知の技術であるといえる。そして、引用発明においてかかる周知の技術事項を採用することは当業者が容易になし得ることであり、その際に先駆パルスの個数を２個とすることは当業者が適宜なし得ることである。
　このように、上記相違点２に係る本願発明の発明特定事項は、引用発明及び周知の技術事項に基づいて当業者が容易に想到し得る程度の事項である。
　
〈相違点３〉について
　上記「〈相違点２〉について」で検討したように、引用発明に周知の技術事項を適用して先駆パルスの個数を２個とすることは、当業者が容易に想到し得る程度の事項である。
　ここで、引用発明は、上記〈ウ〉に「本発明の他の目的は、多ノズル化と高周波駆動化の両者を同時に実現することのできるインクジェット記録方法及び記録装置を提供することにある。……本発明のさらに他の目的は、電源の効率的な利用を行なえるインクジェット記録方法及び記録装置を提供することにある。」と記載された目的に基づいて、上記〈カ〉に「それぞれの複数パルスが重ならないよう入れ子状態にして」と記載されているように、一連のノズル群に印加されるべきダブルパルス波形が入れ子状態となるよう制御を行うものであり、具体的には任意のノズル群（ｉ＋１）に対して印加されるべき先駆パルスの印加タイミングと印刷パルスの印加タイミングとの間に、ノズル群（ｉ＋１）に先行するノズル群（ｉ）に対して印加されるべき印刷パルスの印加タイミングと、ノズル群（ｉ＋１）に後続するノズル群（ｉ＋２）に対して印加されるべき先駆パルスの印加タイミングとをインターリーブさせ、複数のノズル群に対してパルスが同時に印加されないよう制御するものである。
　してみれば、引用発明において先駆パルスの個数を２個とする構成を採用した際にも、複数のノズル群に対してパルスが同時に印加されることのないよう、第１の先駆パルス、第２の先駆パルス、及び印刷パルスの印加タイミングを本願発明と同様にインターリーブさせることは、当業者が設計変更等により適宜なし得る程度の事項である。
　また、引用発明においては複数のノズルをノズル群にまとめて制御を行っているものであるが、上記〈イ〉に「同時に駆動するノズル数：ｊを増すことになり、電圧降下：Ｖdropや流体クロストークの影響を強めたり……単位時間あたり投入エネルギーが増大することで発生する蓄熱によるヘッドの自己昇温を吸収するだけの吐出量制御性が保てなくなる。」と記載されていることから、同時に複数のノズルを駆動することによる弊害は認識されているものと解されるので、ノズル群に代えてエミッタ（「ノズル」）ごとに制御を行い、複数のエミッタに対してパルスが同時に印加されないよう構成することは、当業者が必要に応じて適宜なし得る程度の事項である。
　このように、上記相違点３に係る本願発明の発明特定事項は、引用発明、引用例の記載事項、及び周知の技術事項に基づいて当業者が容易に想到し得る程度の事項である。
　
　以上のように、上記相違点１乃至相違点３に係る本願発明の発明特定事項は、引用発明、引用例の記載事項、及び周知の技術事項に基づいて当業者が想到容易な事項であり、かかる発明特定事項を採用したことによる本願発明の効果も当業者が容易に予測し得る程度のものである。
　
第４　むすび
　以上のとおり、本願発明は、引用発明、引用例の記載事項、及び周知の技術事項に基づいて、当業者が容易に発明をすることができたものであるから、特許法第２９条第２項の規定により特許を受けることができない。
　したがって、本願出願のその余の請求項に係る発明について検討するまでもなく、本願は拒絶を免れない。
　よって、結論のとおり審決する。